(57)【要約】【課題】重量の重い引戸でも常に容易かつスムーズに開閉することができる引き違い戸を提供する。【解決手段】各引戸１１Ｌ，１１Ｒに走行ユニット２０を設け、走行ユニットをガイドレール１２に走行自在に係合させ、フラット配置の各引戸を引き違い状配置自在にした引き違い戸１０において、走行ユニットを、Ｘ軸ローラ２２，２３を備えたＸ軸キャリッジ２１と、前端部に各引戸が取り付けられ、前後ガイドレール２５に走行するＹ軸ローラ３２と前進時にガイドレール１２の左右方向に走行するＸ−Ｙ軸ローラ３３，３４とを備えたＹ軸キャリッジ３１と、Ｘ軸キャリッジとＹ軸キャリッジとの間に介在され、Ｙ軸キャリッジを常に後退方向に付勢する付勢手段２６とで構成し、ガイドレール１２にＸ−Ｙ軸ローラ３３，３４を前後方向から左右方向に走行させるガイドブロック１７，１８を設けた。【選択図】      図４
2005023539.tif 000002
【特許請求の範囲】
【請求項１】
少なくとも左右一対の引戸の上，下端部に走行ユニットをそれぞれ設け、この各走行ユニットを前記少なくとも左右一対の引戸の上，下側に対向する位置に配設された上下一対のガイドレールに走行自在に係合させ、全閉位置時に左右フラット配置の前記少なくとも左右一対の引戸を、開位置時に引き違い状態に配置自在にした引き違い戸において、
前記各走行ユニットを、前記各ガイドレールに沿って左右方向に走行するＸ軸ローラを備えたＸ軸キャリッジと、前端部に前記引戸が取り付けられ、かつ前記Ｘ軸キャリッジに取り付けられた前後ガイドレールに沿って前後方向に走行するＹ軸ローラを備えると共に、前進時に前記各ガイドレールに沿って左右方向に走行するＸ−Ｙ軸ローラを備えたＹ軸キャリッジと、これらＸ軸キャリッジとＹ軸キャリッジとの間に介在され、該Ｙ軸キャリッジを常に後退方向に付勢する付勢手段とで構成し、前記各ガイドレールの前記全閉位置時の各引戸の各Ｙ軸キャリッジのＸ−Ｙ軸ローラに対向する位置に、前後方向から左右方向に円弧状に延びるガイド部を有したガイドブロックを設けたことを特徴とする引き違い戸。
【請求項２】
請求項１記載の引き違い戸であって、
前記Ｘ軸キャリッジの前記前後ガイドレールに相対向する位置に、ロッドを前後方向に摺動自在に支持する円筒状の軸受部材を固定し、前記Ｙ軸キャリッジの前記ロッドの前端に対向する位置に球面軸受を固定すると共に、該Ｙ軸キャリッジの前記ロッドの後端側に対向する位置に円弧状の長孔を形成し、前記ロッドの前端を前記球面軸受の可動部に固定すると共に、該ロッドの後端にバランスレバーを取り付け、このバランスレバーの一端側に摺動部材を突設し、この摺動部材を前記円弧状の長孔内に摺動自在に支持して、前記Ｙ軸キャリッジを前記球面軸受を中心に回転自在にすると共に前記ロッドを介して前後方向に移動自在にし、かつ前記Ｙ軸キャリッジの前記バランスレバーの他端側に該バランスレバーの該Ｙ軸キャリッジに対する平行状態を維持するストッパを突設すると共に、前記Ｙ軸キャリッジと前記バランスレバーとの間に該バランスレバーを前記ストッパに常に当接する方向に付勢する付勢部材を介在したことを特徴とする引き違い戸。
【発明の詳細な説明】
【０００１】
【発明の属する技術分野】
本発明は、比較的重量の重い引戸（扉）をスムーズに開閉自在にした引き違い戸に関する。
【０００２】
【従来の技術】
この種の引き違い戸として、図１９及び図２０に示すものがある（例えば、特許文献１参照。）。
【０００３】
この引き違い戸１は、図１９，図２０（ａ）〜図２０（ｄ）に示すように、左右一対の引戸２Ｌ，２Ｒを使用したものである。この左側の引戸２Ｌの上端部は上側の走行ユニット３Ｌを介して上側のガイドレール５の下段５ｂに往復移動自在に支持されていると共に、該左側の引戸２Ｌの下端部は下側の走行ユニット４Ｌを介して下側のガイドレール６の上段６ａに往復移動自在に支持されている。
【０００４】
また、右側の引戸２Ｒの上端部は上側の走行ユニット３Ｒに一対の平行リンク７ａ，７ａを介して上側のガイドレール５の上段５ａに往復移動自在に支持されていると共に、該右側の引戸２Ｒの下端部は下側の走行ユニット４Ｒに一対の平行リンク７ｂ，７ｂを介して下側のガイドレール６の下段６ｂに往復移動自在に支持されている。
【０００５】
そして、図２０（ａ）に示すように、左右一対の引戸２Ｌ，２Ｒは全閉位置時に左右フラット配置の状態（両引戸２Ｌ，２Ｒの各表面が面一に並ぶ状態）にあり、この左右一対の引戸２Ｌ，２Ｒがフラットになっている状態より、左側の引戸２Ｌを開ける場合には、図２０（ｂ）の矢印Ｘに示すように、右側の引戸２Ｒを各走行ユニット３Ｒ，４Ｒの上下各一対の平行リンク７ａ，７ａ及び７ｂ，７ｂを介して手前に引いて内側位置Ｐ１から外側位置Ｐ２に移動させ、次に、図２０（ｂ）の矢印Ｙに示すように、左側の引戸２Ｌを上下一対のガイドレール５，６に沿って右側へ走行させ、図２０（ｃ）に示すように、左側の引戸２Ｌを全開位置に移動させて右側の引戸２Ｒと引き違い状態に配置する。
【０００６】
また、図２０（ａ）に示すように、左右一対の引戸２Ｌ，２Ｒがフラットになっている状態より、右側の引戸２Ｒを開ける場合には、図２０（ｂ）の矢印Ｘに示すように、右側の引戸２Ｒを各走行ユニット３Ｒ，４Ｒの上下各一対の平行リンク７ａ，７ａ及び７ｂ，７ｂを介して手前に引いて内側位置Ｐ１から外側位置Ｐ２に移動させ、次に、右側の引戸２Ｒを上下各一対の平行リンク７ａ，７ａ及び７ｂ，７ｂを介して外側位置Ｐ２に吊り下げた状態で、図２０（ｄ）の矢印Ｙに示すように、右側の引戸２Ｒを上下一対のガイドレール５，６に沿って左側に走行させ、右側の引戸２Ｒを全開位置に移動させて左側の引戸２Ｌと引き違い状態に配置する。
【０００７】
【特許文献１】
特開平８−１２１０１３号公報
【０００８】
【特許文献２】
特開２００３−１２９７３５号公報
【０００９】
【発明が解決しようとする課題】
しかしながら、前記従来の引き違い戸１では、右側の引戸２Ｒを開閉するために片持ち支持の平行リンク７ａ，７ｂを利用しているため、重量の重い引戸の場合には、平行リンク７ａ，７ｂに大きな曲げ強度が掛かって該平行リンク７ａ，７ｂに捻れ等が発生し易く、僅かな摩擦等があるとスムーズに開閉することが難しかった。また、左側の引戸２Ｌを開閉する場合に、その都度、右側の引戸２Ｒを内側位置Ｐ１から外側位置Ｐ２に移動させておかなければならないため、その開閉作業が煩雑であった。
【００１０】
この発明は、かかる現状に鑑み創案されたものであって、その目的とするところは、重量の重い引戸でも常に容易かつスムーズに開閉することができる引き違い戸を提供しようとするものである。
【００１１】
【課題を解決するための手段】
請求項１の発明は、少なくとも左右一対の引戸の上，下端部に走行ユニットをそれぞれ設け、この各走行ユニットを前記少なくとも左右一対の引戸の上，下側に対向する位置に配設された上下一対のガイドレールに走行自在に係合させ、全閉位置時に左右フラット配置の前記少なくとも左右一対の引戸を、開位置時に引き違い状態に配置自在にした引き違い戸において、前記各走行ユニットを、前記各ガイドレールに沿って左右方向に走行するＸ軸ローラを備えたＸ軸キャリッジと、前端部に前記引戸が取り付けられ、かつ前記Ｘ軸キャリッジに取り付けられた前後ガイドレールに沿って前後方向に走行するＹ軸ローラを備えると共に、前進時に前記各ガイドレールに沿って左右方向に走行するＸ−Ｙ軸ローラを備えたＹ軸キャリッジと、これらＸ軸キャリッジとＹ軸キャリッジとの間に介在され、該Ｙ軸キャリッジを常に後退方向に付勢する付勢手段とで構成し、前記各ガイドレールの前記全閉位置時の各引戸の各Ｙ軸キャリッジのＸ−Ｙ軸ローラに対向する位置に、前後方向から左右方向に円弧状に延びるガイド部を有したガイドブロックを設けたことを特徴とする。
【００１２】
この引き違い戸では、引戸を手前に引くと、Ｙ軸キャリッジのＸ−Ｙ軸ローラがガイドレールのガイドブロックを走行して引戸が前方向の内側位置から外側位置に飛び出し、この後で、引戸を左右方向に押すと、Ｘ軸キャリッジのＸ軸ローラ及びＹ軸キャリッジのＸ−Ｙ軸ローラがガイドレールに沿って左右方向に走行して引戸が開かれる。これにより、従来の平行リンク等が不要となり、重量の重い引戸でも常に容易かつスムーズに引戸が開閉される。また、左右の一方の引戸を開閉する場合でも、従来のように、その都度、他方の引戸を内側位置から外側位置に移動させておく必要がなく、その分、引戸の開閉作業が容易となる。
【００１３】
請求項２の発明は、請求項１記載の引き違い戸であって、前記Ｘ軸キャリッジの前記前後ガイドレールに相対向する位置に、ロッドを前後方向に摺動自在に支持する円筒状の軸受部材を固定し、前記Ｙ軸キャリッジの前記ロッドの前端に対向する位置に球面軸受を固定すると共に、該Ｙ軸キャリッジの前記ロッドの後端側に対向する位置に円弧状の長孔を形成し、前記ロッドの前端を前記球面軸受の可動部に固定すると共に、該ロッドの後端にバランスレバーを取り付け、このバランスレバーの一端側に摺動部材を突設し、この摺動部材を前記円弧状の長孔内に摺動自在に支持して、前記Ｙ軸キャリッジを前記球面軸受を中心に回転自在にすると共に前記ロッドを介して前後方向に移動自在にし、かつ前記Ｙ軸キャリッジの前記バランスレバーの他端側に該バランスレバーの該Ｙ軸キャリッジに対する平行状態を維持するストッパを突設すると共に、前記Ｙ軸キャリッジと前記バランスレバーとの間に該バランスレバーを前記ストッパに常に当接する方向に付勢する付勢部材を介在したことを特徴とする。
【００１４】
この引き違い戸では、引戸を手前に引くだけで、Ｙ軸キャリッジが球面軸受を中心に回転すると共に、付勢部材の付勢力によりロッドを介して球面軸受を前に押してストッパがバランスレバーの他端と接して、引戸が該付勢部材の付勢力を介して前方向へ容易かつスムーズに引き出される。
【００１５】
【発明の実施の形態】
以下、本発明の一実施形態を図面に基づいて説明する。
【００１６】
図１は本発明の一実施形態の引き違い戸の左右一対の引戸の全閉状態を示す正面図、図２は同右側の引戸の縦断面図、図３は同右側の引戸の前進状態を示す縦断面図、図４は同引き違い戸の概略平面図、図５は同引き違い戸の要部の拡大概略平面図、図６は同要部の拡大概略正面図、図７は同各引戸に用いられる走行ユニットの平面図、図８（ａ）は図７中Ａ−Ａ線に沿う断面図、図８（ｂ）は走行ユニットのＹ軸キャリッジが前進した状態を示す断面図、図９は図７中Ｂ−Ｂ線に沿う断面図、図１０は図７中Ｃ−Ｃ線に沿う断面図、図１１は図７中Ｄ−Ｄ線に沿う断面図、図１２は図７中Ｅ−Ｅ線に沿う断面図、図１３は同Ｙ軸キャリッジの要部の拡大部分平面図、図１４は同Ｙ軸キャリッジの要部の拡大部分断面図、図１５は同引き違い戸に用いられるガイドレールの平面図、図１６は同引戸の前進する前の状態を示す要部の概略平面図、図１７は同引戸が傾斜して前進する途中の状態を示す要部の概略平面図、図１８は同引戸の前進完了の状態を示す要部の概略平面図である。
【００１７】
図１〜図４に示すように、引き違い戸１０は、左右一対の引戸（扉）１１Ｌ，１１Ｒの各上，下端部１１ａ，１１ｂに走行ユニット２０をそれぞれ設け、この各走行ユニット２０を上記左右一対の引戸１１Ｌ，１１Ｒの上，下側に対向する位置に配設された上下一対のガイドレール１２，１２に走行自在に係合させ、全閉位置時に左右フラット配置の状態（両引戸１１Ｌ，１１Ｒの各表面が面一に並ぶ状態）の上記左右一対の引戸１１Ｌ，１１Ｒを、開位置時に引き違い状態に配置自在にしたものである。
【００１８】
尚、図１〜図４に示すように、右側の引戸１１Ｒの上，下端部１１ａ，１１ｂの中央より右側には各走行ユニット２０が上下逆向きになって相対向するように連結されていると共に、左側の引戸１１Ｌの上，下端部１１ａ，１１ｂの中央より左側には各走行ユニット２０が上下逆向きになって相対向するように連結されている。また、左右一対の引戸１１Ｌ，１１Ｒの各上，下端部１１ａ，１１ｂに連結される各走行ユニット２０は左右逆向きになって相対向するようにそれぞれ配置されている。さらに、上下に配置された各走行ユニット２０を走行させる上下一対のガイドレール１２，１２は、四角枠状の戸枠１９の上枠１９ａの上面と下枠１９ｂの下面にそれぞれ所定手段により固定されている。
【００１９】
図１〜図１２に示すように、各走行ユニット２０は、各ガイドレール１２の各ガイド溝１３，１４，１５に沿って左右方向Ｘに走行する各Ｘ軸ローラ２２，２３を備えたＸ軸キャリッジ２１と、前端部３１ａに各引戸１１Ｒ，１１Ｌが取り付けられ、かつＸ軸キャリッジ２１上にブラケット２４を介して取り付けられた前後ガイドレール２５に沿って左右方向Ｘと直交する前後方向Ｙに走行するＹ軸ローラ３２を備えると共に、前進時に各ガイドレール１２に沿って左右方向Ｘに走行するＸ−Ｙ軸ローラ３３，３４を備えたＹ軸キャリッジ３１と、これらＸ軸キャリッジ２１とＹ軸キャリッジ３１との間に介在され、該Ｙ軸キャリッジ３１を常に後退方向に付勢する引っ張りコイルバネ（付勢手段）２６とで大略構成されている。
【００２０】
また、図５〜図７，図１２に示すように、Ｘ軸キャリッジ２１上の前後ガイドレール２５に相対向する反対側の位置には、円柱状のロッド３５を前後方向Ｙに摺動自在に支持するブシュ（円筒状の軸受部材）２７を取付ブロック２８等を介して固定してある。さらに、図５，図７，図８に示すように、Ｙ軸キャリッジ３１の下面のロッド３５の前端３５ａに対向する位置には、球面軸受３６の固定部３６ａを取付ブロック３７等を介して固定してある。
【００２１】
さらに、図７，図１３，図１４に示すように、Ｙ軸キャリッジ３１のロッド３５の後端３５ｂ側に対向する位置には円弧状の長孔３１ｂを形成してある。そして、このロッド３５の前端３５ａは球面軸受３６の可動部３６ｂに固定されていると共に、該ロッド３５の後端３５ｂには断面コ字状のバランスレバー（平衡レバー）３８がボルト３９を介して締結固定してある。
【００２２】
図７〜図９，図１４に示すように、バランスレバー３８の一端３８ａ側には段付きカラー（摺動部材）４０をボルト４１と平座金４２及びナット４３を介して突出固定してある。そして、この段付きカラー４０の小径部４０ａをＹ軸キャリッジ３１の円弧状の長孔３１ｂ内に摺動自在に支持してある。これにより、図７及び図１３に示すように、Ｙ軸キャリッジ３１は、球面軸受３６を中心にして円弧状の長孔３１ｂの範囲内（角度θ）で回転自在になっていると共にロッド３５をブシュ２７内に摺動させることにより前後方向Ｙにストローク長Ｈの範囲内で移動自在になっている。
【００２３】
また、図７〜図９，図１３，図１４に示すように、Ｙ軸キャリッジ３１の下面のバランスレバー３８の他端３８ｂ側には、該バランスレバー３８のＹ軸キャリッジ３１に対する平行状態を維持する円柱状のストッパ４４が溶接等により固定されて突設されている。また、Ｙ軸キャリッジ３１とバランスレバー３８との間には該バランスレバー３８をストッパ４４に常に当接する方向に付勢する平衡保持コイルバネ（付勢部材）４５が介在されている。この平衡保持コイルバネ４５の引っ張り力（付勢力）でバランスレバー３８がストッパ４４に常に当たることにより、Ｙ軸キャリッジ３１及び該Ｙ軸キャリッジ３１の前端部３１ａに取り付けられた各引戸１１Ｒ，１１Ｌはロッド３５に対して直角でバランスレバー３８に対して平行になるようになっている。
【００２４】
図７〜図９及び図１２に示すように、一方（図１２中右側）のＸ−Ｙ軸ローラ３３は、取付ブロック３７の下面の中央（球面軸受３６と同心上）に横向きに取り付けられている。また、他方（図１２中左側）のＸ−Ｙ軸ローラ３４は、Ｙ軸キャリッジ３１の下面のＸ−Ｙ軸ローラ３３と左右方向Ｘに適宜離れた位置に高さが異なるように横向きに取り付けられている。また、図４，図５，図１５に示すように、各ガイドレール１２の全閉位置時の各引戸１１Ｒ，１１Ｌの各Ｙ軸キャリッジ３１の同径で一対のＸ−Ｙ軸ローラ３３，３４に対向する位置には、前後方向Ｙに延びる縦ガイド部１７ａ，１８ａと該縦ガイド部１７ａ，１８ａの前後方向Ｙから左右方向Ｘに円弧状に延びるガイド部１７ｂ，１８ｂ及び該円弧状のガイド部１７ｂ，１８ｂより左右方向Ｘに延びて凹状のガイド溝１６に接続される横ガイド部１７ｃ，１８ｃをそれぞれ形成した各一対のガイドブロック１７，１８をそれぞれ所定手段を介して取り付けてある。これにより、一対のＸ−Ｙ軸ローラ３３，３４は、Ｙ軸キャリッジ３１が前に引き出されると、各ガイドブロック１７，１８の各縦ガイド部１７ａ，１８ａから円弧状のガイド部１７ｂ，１８ｂを走行して横ガイド部１７ｃ，１８ｃより左右方向Ｘに延びる同一の凹状のガイド溝１６に入って該凹状のガイド溝１６内を走行するようになっている。
【００２５】
尚、図７〜図１１に示すように、Ｘ軸キャリッジ２１の前後の両側部２１ａ，２１ｂに縦向きに取り付けられたＸ軸ローラ２２，２２は、各ガイドレール１２上の断面コ字状で相対向する一対のガイド溝１３，１４内をそれぞれ走行すると共に、該Ｘ軸キャリッジ２１の下方に横向きに取り付けられたＸ軸ローラ２３は、各ガイドレール１２上の中央の断面凹状のガイド溝１５内に走行するようになっている。また、図１，図４〜図７に示すように、Ｙ軸キャリッジ３１の下面の隣接する一側部にはゴム製の緩衝体４６をＬ字形のブラケット４７を介して取り付けてある。さらに、図５，図７に示すように、バランスレバー３８は回転防止ブラケット４８によりその回転が所定角の範囲内に規制されている。
【００２６】
以上実施形態の引き違い戸１０によれば、図１，図４，図１６に示すように、左右一対の引戸１１Ｌ，１１Ｒがフラットになっている状態より、例えば右側の引戸２Ｒを開ける場合には、図１７の矢印Ｒに示すように、右側の引戸１１Ｒの凹状の操作部１１ｃを手前に引く。この時、瞬時的にＹ軸キャリッジ３１が球面軸受３６の可動部３６ｂを中心に図１７に示す矢印Ｗの方向に回転する。このＹ軸キャリッジ３１が回転すると、図１７に示すように、Ｙ軸キャリッジ３１のストッパ４４とバランスレバー３８の他端３８ｂとの間に隙間Ｓができる。これにより、バランスレバー３８の他端３８ｂ及び該バランスレバー３８の他端３８ｂ側に連結されたロッド３５が平衡保持コイルバネ４５の引っ張り力により前に出される。そして、このロッド３５を介して球面軸受３６が前に押されてＹ軸キャリッジ３１がバランスレバー３８と平行になった時、即ち、ストッパ４４がバランスレバー３８の他端３８ｂと接して上記隙間Ｓがゼロとなった時、平衡保持コイルバネ４５の引っ張り力が無くなり、図４及び図５の実線から二点鎖線に示すように、右側の引戸１１Ｒは前方向（内側位置から外側位置）Ｙ′へ引き出され、図１８に示すように、右側の引戸１１Ｒの引き出しは完了する。この右側の引戸１１Ｒの前方向Ｙ′への引き出しが完了した後で、図４に示すように、右側の引戸１１Ｒを左方向Ｘ′へ押圧すると、上下の各走行ユニット２０，２０が上下一対のガイドレール１２，１２に沿って左側に走行し、右側の引戸１１Ｒを全開位置に移動させれば、全閉位置にある左側の引戸１１Ｌと引き違い状態に配置することができる。また、左側の引戸１１Ｌを開ける場合も上記した右側の引戸１１Ｒと同様の操作をすることで、左側の引戸１１Ｌを全開位置に移動させれば、全閉位置にある右側の引戸１１Ｒと引き違い状態に配置することができる。
【００２７】
このように、各ガイドレール１２に走行自在に係合させて左右の引戸１１Ｌ，１１Ｒを開閉させる各走行ユニット２０を、各ガイドレール１２の各ガイド溝１３，１４，１５に沿って左右方向Ｘに走行するＸ軸ローラ２２，２３を備えたＸ軸キャリッジ２１と、前端部３１ａに各引戸１１Ｌ，１１Ｒが取り付けられ、かつＸ軸キャリッジ２１に取り付けられた前後ガイドレール２５に沿って前後方向Ｙに走行するＹ軸ローラ３２を備えると共に、前進時に各ガイドレール１２のガイド溝１６に沿って左右方向Ｘに走行するＸ−Ｙ軸ローラ３３，３４を備えたＹ軸キャリッジ３１と、これらＸ軸キャリッジ２１とＹ軸キャリッジ３１との間に介在され、該Ｙ軸キャリッジ３１を常に後退方向に付勢する引っ張りコイルバネ２６とで大略構成し、各ガイドレール１２の全閉位置時の両引戸１１Ｌ，１１ＲのＹ軸キャリッジ３１のＸ−Ｙ軸ローラ３３，３４に対向する位置に、前後方向から左右方向に円弧状に延びるガイド部１７ｂ，１８ｂ等を有する各ガイドブロック１７，１８をそれぞれ取り付けたので、引戸１１Ｒ（或いは１１Ｌ）を手前に引くと、Ｙ軸キャリッジ３１のＸ−Ｙ軸ローラ３３，３４が各ガイドレール１２の縦ガイド部１７ａ，１８ａを走行して引戸１１Ｒ（或いは１１Ｌ）が前方向（内側位置から外側位置）Ｙ′へ飛び出し、この後で引戸１１Ｒ（或いは１１Ｌ）を左方向Ｘ′（或いは右方向）に押すと、Ｘ軸キャリッジ２１のＸ軸ローラ２２，２３及びＹ軸キャリッジ３１のＸ−Ｙ軸ローラ３３，３４が各ガイドレール１２のガイド溝１３，１４，１５及び１６に沿って左方向Ｘ′（或いは右方向）に走行して引戸１１Ｒ（或いは１１Ｌ）を開くことができる。これにより、従来の平行リンク等が不要となり、重量の重い引戸でも常に容易かつスムーズに引戸を開閉することができる。
【００２８】
また、左右の一方の引戸１１Ｒ（或いは１１Ｌ）を開閉する場合でも、従来のように、その都度、他方の引戸１１Ｌ（或いは１１Ｒ）を内側位置から外側位置に移動させておく必要がなく、その分、各引戸１１Ｌ，１１Ｒの開閉作業を容易に行うことができる。
【００２９】
特に、Ｘ軸キャリッジ２１の前後ガイドレール２５と反対側の位置に、ロッド３５を前後方向Ｙに摺動自在に支持する円筒状のブシュ２７を取付ブロック２８等を介して固定し、Ｙ軸キャリッジ３１のロッド３５の前端３５ａに対向する位置に球面軸受３６を取付ブロック３７等を介して固定すると共に、該Ｙ軸キャリッジ３１のロッド３５の後端３５ｂ側に対向する位置に円弧状の長孔３１ｂを形成し、ロッド３５の前端３５ａを球面軸受３６の可動部３６ｂに固定すると共に、該ロッド３５の後端３５ｂにバランスレバー３８を取り付け、このバランスレバー３８の一端３８ａ側に突設した段付きカラー４０の小径部４０ａを円弧状の長孔３１ｂ内に摺動自在に支持して、Ｙ軸キャリッジ３１を球面軸受３６の可動部３６ｂを中心に回転自在にすると共にロッド３５を介して前後方向Ｙに移動自在にし、かつＹ軸キャリッジ３１のバランスレバー３８の他端３８ｂ側に該バランスレバー３８の該Ｙ軸キャリッジ３１に対する平行状態を維持するストッパ４４を突設すると共に、Ｙ軸キャリッジ３１とバランスレバー３８との間に該バランスレバー３８をストッパ４４に常に当接する方向に付勢する平衡保持コイルバネ４５を介在したので、引戸１１Ｒ（或いは１１Ｌ）の凹状の操作部１１ｃを手前に引くだけで、Ｙ軸キャリッジ３１が球面軸受３６の可動部３６ｂを中心に回転して、図１７に示すように、Ｙ軸キャリッジ３１のストッパ４４とバランスレバー３８の他端３８ｂとの間に隙間Ｓができた後で、平衡保持コイルバネ４５の引っ張り力によりロッド３５を介して球面軸受３６が前に押されてストッパ４４がバランスレバー３８の他端３８ｂと接して上記隙間Ｓがゼロとなった時、平衡保持コイルバネ４５の引っ張り力が無くなり、図４に示すように、右側の引戸１１Ｒ（或いは１１Ｌ）を平衡保持コイルバネ４５の引っ張り力を介して前方向Ｙ′へ容易かつスムーズに引き出すことができる。
【００３０】
尚、前記実施形態によれば、左右一対の引戸の場合について説明したが、３つ以上の引戸の場合でも良い。また、付勢手段及び付勢部材として引っ張りコイルバネを用いたが、捩りコイルバネ等の他のバネ部材でも良いことは勿論である。
【００３１】
【発明の効果】
以上説明したように、請求項１の発明によれば、ガイドレールに走行自在に係合させて引戸を開閉させる走行ユニットを、ガイドレールに沿って左右方向に走行するＸ軸ローラを備えたＸ軸キャリッジと、前端部に引戸が取り付けられ、かつＸ軸キャリッジに取り付けられた前後ガイドレールに沿って前後方向に走行するＹ軸ローラを備えると共に、前進時にガイドレールに沿って左右方向に走行するＸ−Ｙ軸ローラを備えたＹ軸キャリッジと、これらＸ軸キャリッジとＹ軸キャリッジとの間に介在され、該Ｙ軸キャリッジを常に後退方向に付勢する付勢手段とで構成し、ガイドレールの全閉位置時の引戸のＹ軸キャリッジのＸ−Ｙ軸ローラに対向する位置に、前後方向から左右方向に円弧状に延びるガイド部を有したガイドブロックを設けたので、引戸を手前に引くと、Ｙ軸キャリッジのＸ−Ｙ軸ローラがガイドレールのガイドブロックを走行して引戸が前方向の内側位置から外側位置に飛び出し、この後で、引戸を左右方向に押すと、Ｘ軸キャリッジのＸ軸ローラ及びＹ軸キャリッジのＸ−Ｙ軸ローラがガイドレールに沿って左右方向に走行して引戸を開くことができる。これにより、従来の平行リンク等が不要となり、重量の重い引戸でも常に容易かつスムーズに引戸を開閉することができる。また、左右の一方の引戸を開閉する場合でも、従来のように、その都度、他方の引戸を内側位置から外側位置に移動させておく必要がなく、その分引戸の開閉作業を容易に行うことができる。
【００３２】
請求項２の発明によれば、Ｘ軸キャリッジに、ロッドを前後方向に摺動自在に支持する円筒状の軸受部材を固定し、Ｙ軸キャリッジのロッドの前端に対向する位置に球面軸受を固定すると共に、該Ｙ軸キャリッジのロッドの後端側に対向する位置に円弧状の長孔を形成し、ロッドの前端を球面軸受の可動部に固定すると共に、該ロッドの後端にバランスレバーを取り付け、このバランスレバーの一端側に突設した摺動部材を円弧状の長孔内に摺動自在に支持して、Ｙ軸キャリッジを球面軸受を中心に回転自在にすると共にロッドを介して前後方向に移動自在にし、かつＹ軸キャリッジのバランスレバーの他端側に該バランスレバーの該Ｙ軸キャリッジに対する平行状態を維持するストッパを突設すると共に、Ｙ軸キャリッジとバランスレバーとの間に該バランスレバーをストッパに常に当接する方向に付勢する付勢部材を介在したので、引戸を手前に引くだけで、Ｙ軸キャリッジが球面軸受を中心に回転すると共に、付勢部材の付勢力によりロッドを介して球面軸受を前に押してストッパがバランスレバーの他端と接することで、引戸を付勢部材の付勢力を介して前方向へ容易かつスムーズに引き出すことができる。
【図面の簡単な説明】
【図１】本発明の一実施形態の引き違い戸の全閉状態を示す正面図である。
【図２】上記引き違い戸の右側の引戸の縦断面図である。
【図３】上記右側の引戸の前進状態を示す縦断面図である。
【図４】上記引き違い戸の概略平面図である。
【図５】上記引き違い戸の要部の拡大概略平面図である。
【図６】上記要部の拡大概略正面図である。
【図７】上記引き違い戸に用いられる走行ユニットの平面図である。
【図８】（ａ）は図７中Ａ−Ａ線に沿う断面図、（ｂ）は上記走行ユニットのＹ軸キャリッジが前進した状態を示す断面図である。
【図９】図７中Ｂ−Ｂ線に沿う断面図である。
【図１０】図７中Ｃ−Ｃ線に沿う断面図である。
【図１１】図７中Ｄ−Ｄ線に沿う断面図である。
【図１２】図７中Ｅ−Ｅ線に沿う断面図である。
【図１３】上記Ｙ軸キャリッジの要部の拡大部分平面図である。
【図１４】上記Ｙ軸キャリッジの要部の拡大部分断面図である。
【図１５】上記引き違い戸に用いられるガイドレールの平面図である。
【図１６】上記引き違い戸の引戸の前進する前の状態を示す要部の概略平面図である。
【図１７】上記引戸が傾斜して前進する途中の状態を示す要部の概略平面図である。
【図１８】上記引戸の前進完了の状態を示す要部の概略平面図である。
【図１９】従来の引き違い戸の縦断面図である。
【図２０】（ａ）〜（ｃ）は上記従来の引き違い戸の左側の引戸を開ける場合を順を追って示す概略平面図、（ｄ）は同従来の引き違い戸の右側の引戸を開ける場合を示す概略平面図である。
【符号の説明】
１０  引き違い戸
１１Ｌ，１１Ｒ  左右一対の引戸
１１ａ  上端部
１１ｂ  下端部
１２，１２  上下一対のガイドレール
１７，１８  ガイドブロック
１７ｂ，１８ｂ  円弧状のガイド部
２０  走行ユニット
２１  Ｘ軸キャリッジ
２２，２３  Ｘ軸ローラ
２５  前後ガイドレール
２６  引っ張りコイルバネ（付勢手段）
２７  ブシュ（円筒状の軸受部材）
３１  Ｙ軸キャリッジ
３１ａ  前端部
３１ｂ  円弧状の長孔
３２  Ｙ軸ローラ
３３，３４  Ｘ−Ｙ軸ローラ
３５  ロッド
３５ａ  前端
３５ｂ  後端
３６  球面軸受
３６ｂ  可動部
３８  バランスレバー
３８ａ  一端
３８ｂ  他端
４０  段付きカラー（摺動部材）
４４  ストッパ
４５  平衡保持コイルバネ（付勢部材）
Ｘ  左右方向
Ｙ  前後方向
【図１】
2005023539.tif 000003
【図２】
2005023539.tif 000004
【図３】
2005023539.tif 000005
【図４】
2005023539.tif 000006
【図５】
2005023539.tif 000007
【図６】
2005023539.tif 000008
【図７】
2005023539.tif 000009
【図８】
2005023539.tif 000010
【図９】
2005023539.tif 000011
【図１０】
2005023539.tif 000012
【図１１】
2005023539.tif 000013
【図１２】
2005023539.tif 000014
【図１３】
2005023539.tif 000015
【図１４】
2005023539.tif 000016
【図１５】
2005023539.tif 000017
【図１６】
2005023539.tif 000018
【図１７】
2005023539.tif 000019
【図１８】
2005023539.tif 000020
【図１９】
2005023539.tif 000021
【図２０】
2005023539.tif 000022